(57)【特許請求の範囲】
【請求項１】
基材の前面の面内に溝を形成し、
前記溝に窪み部および手掛部を有する埋込部材を挿入して接合し、
前記基材の前面と前記埋込部材の前端面が面一になるように調整し、
前記基材の前面および前記埋込部材の前端面を覆うように、シートまたは薄板からなる化粧材を貼着することを特徴とする収納部用前板の製造方法。
【請求項２】
前記溝に前記埋込部材を挿入した後に、前記基材または前記埋込部材の一方を研削することによって、該基材の前面と該埋込部材の前端面を面一になるように調整することを特徴とする請求項１に記載の収納部用前板の製造方法。
【請求項３】
前記化粧材を前記基材のほぼ全面に貼着した後に、前記窪み部の縁の全周に沿って該化粧材をカッティングして、該窪み部を開口させることを特徴とする請求項１または請求項２に記載の収納部用前板の製造方法。
【請求項４】
前記埋込部材は、前記窪み部の下縁に形成された前端面に連続し、断面視において該前端面とほぼ直角をなす段部を有することを特徴とする請求項３に記載の収納部用前板の製造方法。
【請求項５】
前記埋込部材を前記溝に接合する前に、前記窪み部にエンボス形状を形成することを特徴とする請求項１から請求項４のいずれか１項に記載の収納部用前板の製造方法。
【発明の詳細な説明】
【技術分野】
【０００１】
本発明は、収納部の前面に配置され、収納部の開閉に用いられる取手を有する収納部用前板の製造方法に関するものである。
【背景技術】
【０００２】
引出、開き戸、引き戸などの収納部の前板には取手（引手とも称される）が設けられ、使用者がこの取手に手を掛けて前後方向または左右方向にそれを引っ張ることにより、収納部が開閉される。前板の取手としては、コの字状の金具を取り付ける旧来の構造や、折り返した形状の取手用金具を前板の上縁に取り付ける構造（いわゆるライン取手）、前板の面内に取手用部材をはめ込んだ構造（以下、取手構造と称する）などがある。
【０００３】
上記の取手構造としては、例えば特許文献１に、基材である戸板に設けられた長穴状の取付溝に、押出成型の樹脂部材からなる引手本体（取手用部材）を嵌め込んだ取手構造が開示されている。かかる特許文献１では、引手本体の両端にその端面を覆うホルダ（キャップ）が嵌め込まれる。また同様に特許文献２においても、長尺の取手本体（取手用部材）と、その両側部に嵌着されるキャップとを、被取付板（基材）に設けられた長孔に嵌めこむ取手構造が開示されている。
【先行技術文献】
【特許文献】
【０００４】
【特許文献１】特開２００５−０７６２７８号公報
【特許文献２】特開２００６−２０４５００号公報
【発明の概要】
【発明が解決しようとする課題】
【０００５】
収納部において前面に配置される前板（収納部用前板）は、使用者にもっとも観察される部材であるため収納部の美観に最も大きな影響を及ぼす。特に、前板において取手が必要以上に目立ってしまったり、前板との統一感がなかったりすると、収納庫全体の美観が損なわれ、使用者が違和感を覚えてしまう。このため、収納部用前板に設けられる取手においても、機能性はもちろんのことデザイン性も重要視される。
【０００６】
しかしながら、上記特許文献１および２のいずれの取手構造においても、外観上、基材に取手用部材が嵌め込まれていることが明らかに見て取れるため、基材との統一感に乏しく、美観に優れているとは言い難い。また特許文献１および２の構成であると、取手用部材およびキャップが前板の表面より突出しているため、視覚的に凹凸が感じられ、使用者は雑然とした印象を受けるおそれがある。
【０００７】
上述した問題を解決する方法として、前板の基材に木材を用い、基材自体に窪みを切削して取手を形成することが考えられる。このような構成であれば、取手用部材やキャップが必要ないため、当然にしてそれらを取り付ける必要がない。したがって、前板において取手用部材およびキャップが突出することがなく、単に手掛け用の窪みがあるだけになる。このため、収納部を簡潔で高級感のある外観にすることができ、優れた美観が得られる。
【０００８】
上記のように前板に窪みによって取手を形成する場合には、手掛けのための折り返し（以下手掛部と称する）を作る必要がある。手掛部を作るには、窪みの中の上面を前板表面より上方にもぐりこんだように彫り込まなくてはならず、そのような加工はＮＣ旋盤やフライス盤などによる機械加工では困難である。そこで一案として、前板においてその上縁から窪みの位置までを帯状に切除し、切除した部品の断面を掘り込んで手掛部を形成した上で、かかる部品を前板に戻して接着することが考えられる。しかし、この製造方法であると、多くの手間を要し、製造コストの増大を招いてしまうため、採用が難しい。
【０００９】
本発明は、このような課題に鑑み、基材を彫り込んだように見える取手構造を容易且つ安価に実現することが可能な収納部用前板の製造方法を提供することを目的とする。
【課題を解決するための手段】
【００１０】
上記課題を解決するために、本発明にかかる収納部用前板の製造方法の代表的な構成は、基材の前面の面内に溝を形成し、溝に窪み部および手掛部を有する埋込部材を挿入して接合し、基材の前面と埋込部材の前端面が面一になるように調整し、基材の前面および埋込部材の前端面を覆うように、シートまたは薄板からなる化粧材を貼着することを特徴とする。
【００１１】
上記構成によれば、基材の前面に溝を形成し、その溝に埋込部材を挿入して接合することにより、かかる基材に窪み部を容易に形成することができる。そして、埋込部材の前端面と基材の前面とを面一とし、そこを化粧材によって覆うことにより、前板の外観からは埋込部材の窪み部しか観察されなくなり、あたかも基材を彫り込んだように見える。このため、収納部の外観に高級感を与えることができる。このように本発明によれば、従来の機械加工による複雑な工程を必要とすることなく窪み部を形成することができるため、製造工程の複雑化を招くことがなく、美観に優れた収納部用前板を容易且つ安価に製造することが可能となる。
【００１２】
上記の溝に埋込部材を挿入した後に、基材または埋込部材の一方を研削することによって、基材の前面と埋込部材の前端面を面一になるように調整するとよい。これにより、埋込部材の成型の寸法誤差および溝の切削加工の寸法誤差を吸収し、基材と埋込部材の前端面とを正確に面一にすることができる。
【００１３】
上記の化粧材を基材のほぼ全面に貼着した後に、窪み部の縁の全周に沿って化粧材をカッティングして、窪み部を開口させるとよい。化粧材に予め開口を設けた場合、その開口を窪み部に位置合わせしながら化粧材を基材に貼着しなければならないため、貼着作業を慎重に行う必要がある。これに対し、上記構成のように基材に貼着した後に化粧材をカッティングすることにより、基材への化粧材貼着時の細かい位置合わせが不要になるため、作業性の向上を図ることができる。また化粧材に予め開口を設けると、その開口近傍において化粧材が撓んでしまい、貼着時にシワが発生することが懸念されるが、上述したように後から開口を形成する構成であればシワの発生を防ぐことが可能となる。
【００１４】
上記の埋込部材は、前記窪み部の下縁に形成された前端面に連続し、断面視において該前端面とほぼ直角をなす段部を有するとよい。これにより、上述したように窪み部の化粧材をカッティングする際に段部をガイドとすることができ、容易かつ正確なカッティングが可能となる。したがって、化粧材の端面（断面）の仕上がりを向上させることができる。
【００１５】
上記の埋込部材を溝に接合する前に、窪み部にエンボス形状を形成するとよい。これにより、埋込部材の窪み部において、そこに化粧材を貼付せずとも、あたかもそれを貼付したかのような模様を形成することができる。したがって、収納部用前板（厳密にはそれに貼付される化粧材）との外観上の統一感（一体感）が得られる。なお、エンボス形状は、例えばローラーでプレスして形成することが可能である。
【発明の効果】
【００１６】
本発明によれば、基材を彫り込んだように見える取手構造を容易且つ安価に実現することが可能な収納部用前板の製造方法を提供することができる。
【図面の簡単な説明】
【００１７】
【図１】本実施形態にかかる収納部用前板を備える収納部の正面斜視図である。
【図２】図１のＡ−Ａ断面斜視図である。
【図３】埋込部材の詳細図である。
【図４】本実施形態にかかる前板の製造方法を説明するフローチャートである。
【図５】本実施形態にかかる前板の製造方法を説明する図である。
【図６】本実施形態にかかる前板の製造方法を説明する図である。
【図７】端部部材の詳細図である。
【図８】本実施形態にかかる前板の製造方法を説明する図である。
【図９】本実施形態にかかる前板の製造方法を説明する図である。
【図１０】本実施形態にかかる前板の製造方法を説明する図である。
【図１１】本実施形態にかかる前板の製造方法を説明する図である。
【図１２】上述した前板の製造方法の他の例を説明する図である。
【図１３】上述した前板の製造方法の他の例を説明する図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。なお、以下の実施形態に示す寸法、材料、その他具体的な数値などは、発明の理解を容易とするための例示に過ぎず、特に断る場合を除き、本発明を限定するものではない。
【００１９】
以下、本実施形態にかかる製造方法によって製造される収納部用前板を備える収納部として引出を例示して説明する。ただし、これに限定するものではなく、本実施形態の収納部用前板は、開き戸や引き戸等、前板（基材）に取手を必要とする他の収納部にも当然にして適用可能である。また理解を容易にするために、本実施形態では、収納部、それに設けられる収納部用前板、その製造方法の順に説明する。
【００２０】
（収納部１００）
図１は、本実施形態にかかる収納部用前板を備える収納部１００の正面斜視図である。図１に示す収納部１００は、キャビネット（不図示）に収容されて被収納物（不図示）を収納する引出である。かかる収納部１００は、前面を構成する本実施形態の収納部用前板（以下、前板１０２と称する）、側面を構成する２枚の側板１０４ａおよび側板１０４ｂ、底面を構成する底板１０６、および背面を構成する背板１０８を備える。これらのうち、前板１０２には、収納部１００を開閉するための取手部１１０（取手構造）が設けられている。図１に示すように、取手部１１０は、あたかも前板１０２を掘り込んで形成されたような外観を有する。
【００２１】
（前板１０２）
図２は、図１のＡ−Ａ断面斜視図である。図２に示すように、前板１０２は、その芯材となる基材１１２と、かかる基材１１２の前面１１２ａ（図３（ｅ）参照）に配置される化粧材１１４とを備える。基材１１２には、その前面１１２ａの面内に溝１１６が形成されていて、後に説明するように溝１１６には埋込部材１２０が挿入される。この溝１１６を切削（掘穿）によって容易に形成するために、基材１１２には木材を用いることが好ましい。化粧材１１４は、基材１１２の前面に貼着されるシート（または薄板）である。
【００２２】
図３は、埋込部材１２０の詳細図であり、図３（ａ）は側面図（断面図）、図３（ｂ）は上面図、図３（ｃ）は正面図、図３（ｄ）は下面図であり、図３（ｅ）は埋込部材１２０の溝１１６への挿入を説明する断面図である。図３に示す埋込部材１２０は、すべての位置での短手方向の切断面が同一の断面形状を有する長尺部材である。このため、埋込部材１２０は押出成形によって安価に製造することが可能であり、低コスト化を図ることができる。埋込部材１２０としては樹脂材料を好適に用いることができるが、これに限定するものではなく、アルミ等の金属材料を押出成型によって加工したものを用いてもよい。
【００２３】
図３（ａ）に示すように、埋込部材１２０は、数字の『２』のような断面形状を有する。詳細には、埋込部材１２０は下方から順に、溝１１６の下面１１６ｂ（図２参照）に接触する下壁部１２２、下壁部１２２の前面１２２ａ近傍に連続し上方に延びる内壁部１２４、および内壁部１２４が上部で前方に向かって折り返すことにより形成される手掛部１２６を有する。そして、内壁部１２４および手掛部１２６によって囲まれた空間に窪み部１２８が形成されている。これにより、使用者は、窪み部１２８に指をさしこみ、その指を手掛部１２６に引っ掛けることにより、収納部１００の開閉を行うことが可能となる。すなわち窪み部１２８および手掛部１２６によって、埋込部材１２０を手掛け用の取手部１１０として用いることができる。
【００２４】
本実施形態において、手掛部１２６は、上端から後方に向かって延びる上壁部１２６ａと、前端から上方に向かって延びる前壁部１２６ｂとを有する。これらにより、埋込部材１２０の強度の向上を図ることができる。また図３（ａ）に示すように上壁部１２６ａおよび前壁部１２６ｂがともに溝１１６内において上面１１６ａ（図２参照）に接触することにより、それらの接触面積が増大するため設置安定性を向上させることが可能である。
【００２５】
更に、上壁部１２６ａおよび下壁部１２２の外側には、それぞれ複数の爪部１２９が形成されている。これにより、爪部１２９が溝１１６の上面１１６ａおよび下面１１６ｂに掛止される。このため、収納部１００を開ける際（埋込部材１２０を引っ張った際）における溝１１６からの埋込部材１２０の脱落を好適に防ぐことができ、設置安定性の更なる向上が図れる。
【００２６】
図３（ｅ）に示すように、埋込部材１２０は、溝１１６に矢印方向に挿入されると下壁部１２２が撓む。これにより、下壁部１２２が下面１１６ｂに対して、上壁部１２６ａが上面１１６ａに対して付勢される。この状態において、基材１１２の前面１１２ａと、埋込部材１２０の前端面、すなわち手掛部１２６の前面１２６ｃならびに下壁部１２２の前面１２２ａとが面一になるようにする（以下、手掛部１２６の前面１２６ｃと、下壁部１２２の前面１２２ａを併せて、埋込部材１２０の前端面と称する）。そして、基材１１２の前面１１２ａおよび埋込部材１２０の前端面を覆うように化粧材１１４を基材１１２に貼着すると、図２に示す状態となり取手部１１０が形成される。
【００２７】
（前板１０２の製造方法）
次に、上記説明した前板１０２の製造方法について説明する。図４は本実施形態にかかる前板１０２の製造方法を説明するフローチャートであり、図５〜図１１は、本実施形態にかかる前板１０２の製造方法を説明する図である。なお、以下に説明する製造方法において用いられる工具や材料、加工方法は理解を容易にするための例示にすぎず、必ずしもこれに限定するものではない。
【００２８】
前板１０２の製造では、まず基材１１２の前面１１２ａの面内に溝１１６を形成する（ステップ４００）。溝１１６の形成では、図５に例示するようにＮＣ旋盤（全体は不図示）のバイト１８０（回転ビットとも称される）により、基材１１２に溝１１６を彫る。溝１１６は、好ましくは２段彫りで形成されるとよく、１段目は粗いバイトを、２段目は精密バイトを用いて彫ることにより、加工精度を担保することができる。なお、当然であるが、この溝１１６の形成時には、基材１１２を貫通しないよう、埋込部材１２０の厚みｔ（図３（ａ）参照）とほぼ同じ深さまで彫る。
【００２９】
上述したように、本実施形態のＮＣ旋盤ではフライス盤（不図示）のように回転ビット（バイト１８０）によって溝１１６を形成するため、図５に示すように、溝１１６の角部に、バイト１８０の曲率半径をほぼ同じ曲率半径を有する湾曲部１１６ｃ（いわゆるアール）が形成される。これに対し、図３に示す埋込部材１２０は押出成型材を切断して製造されるため切断面は平坦である。故に、図５に示す溝１１６に埋込部材１２０を単に挿入しただけでは、埋込部材１２０の端部１２０ａおよび１２０ｂ（図３参照）と溝１１６との間に間隙が生じてしまう。
【００３０】
そこで本実施形態では、埋込部材１２０の端部１２０ａおよび１２０ｂに、図６（ａ）に示す端部部材１３０を取り付ける。図７は、端部部材１３０の詳細図であり、図７（ａ）は端部部材１３０の上面図、図７（ｂ）は端部部材１３０の正面図、図７（ｃ）は１３０の側面図である。
【００３１】
図７に示すように、端部部材１３０は、ブロック状の部材であり、その前面１３０ｃは、基材１１２の前面１１２ａ（埋込部材１２０の前端面）と面一に形成されている。また埋込部材１２０と対向する正面１３０ａは、埋込部材１２０の端部１２０ａおよび１２０ｂと同様に平坦面である。一方、端部部材１３０において、埋込部材１２０と対向しない側の背面１３０ｂの角は、溝１１６の湾曲部１１６ｃ（すなわちバイト１８０）とほぼ同じ曲率半径で湾曲し、丸みを帯びている。このような端部部材１３０を埋込部材１２０の端部１２０ａおよび１２０ｂに取り付けることにより、埋込部材１２０を溝１１６に挿入した際に生じる間隙を埋めることができる。したがって、後述する化粧材１１４が間隙に向かって窪むのを防ぎ、前板１０２（収納部１００）の美観を良好に保つことが可能となる。
【００３２】
なお、端部部材１３０の材質としては、埋込部材１２０と同じ材料を用いてもよいし、異なる材料を用いてもよいが、好ましくは柔軟性や弾性を有する材料を用いるとよい。これにより、端部部材１３０が溝１１６と埋込部材１２０との間隙の形状に追従して変形し、間隙をより好適に埋めることができる。
【００３３】
ここで、端部部材１３０を埋込部材１２０の端部１２０ａおよび１２０ｂに取り付けることにより、埋込部材１２０と基材１１２との間に生じる間隙を埋めることができるものの、単に端部部材１３０を埋込部材１２０に接着すると、端部部材１３０の正面１３０ａが窪み部１２８に露出した状態になる。すると、使用者が取手部１１０を側方から見た際に端部部材１３０の正面１３０ａを容易に観察できてしまうため、かかる正面１３０ａと、前板１０２の前面すなわち化粧材１１４との調和がとれていないと、使用者が違和感を覚えるおそれがある。
【００３４】
そこで本実施形態では、埋込部材１２０と端部部材１３０との間に、化粧材１１４と同じ色調や模様（本実施形態では木目調）の被覆シート１４０を配置する。そして、端部部材１３０の正面１３０ａに被覆シート１４０を貼着し、それを介して埋込部材１２０の端部１２０ａおよび１２０ｂと端部部材１３０の正面１３０ａとを貼着すると、図６（ｂ）に示す状態となる。これにより、使用者が取手部１１０を側方から見た際に観察されるのは被覆シート１４０となるため、化粧材１１４との調和がとれ、使用者にそれらを一体のものと感じさせることができる。埋込部材１２０、端部部材１３０および被覆シート１４０の貼着方法としては、接着剤や接着テープ等、既知の方法を用いることができる。
【００３５】
なお、本実施形態では、端部部材１３０によって間隙を埋める場合を例示して説明したが、上述した構成は一例であり、これに限定するものではない。例えば、溝１１６を彫る旋盤に角ノミ盤を用いれば、アールを有さない四角形の溝を形成することが可能である。したがって、埋込部材１２０と基材１１２との間に間隙が生じづらくなるため、端部部材１３０を不要とすることができる。また埋込部材１２０と溝１１６との間隙を埋めるのは、必ずしも端部部材１３０でなくてもよく、パテやシーリング材等の充填材を用いてもよい。更に、基材１１２の前面１１２ａに貼着される化粧材１１４が硬質材料からなるシート、すなわち薄板である場合には、埋込部材１２０と基材１１２との間隙を埋めなくてもよい。化粧材１１４が硬質なシートであれば、化粧材１１４の窪みが生じにくいからである。
【００３６】
次に、図６（ｂ）に示すように端部部材１３０および被覆シート１４０を取り付けた（接着した）埋込部材１２０を、図６（ｃ）に示すように溝１１６に挿入して接合する（ステップ４０２）。このとき、溝１１６の内面（図２に示す上面１１６ａ、下面１１６ｂおよび側面１１６ｃ）、または埋込部材１２０および端部部材１３０において基材１１２の内面と対向する面の少なくとも一方に接着材（不図示）を塗布しておくとよい。これにより、それらの接着強度を高めることができ、溝１１６からの埋込部材１２０や端部部材１３０の脱落を効果的に防ぐことが可能となる。
【００３７】
なお、図６（ｃ）に示す状態において、溝１１６と端部部材１３０との間に隙間が生じたら、そこにパテ（不図示）を充填する。溝１１６と端部部材１３０との間に隙間が生じなかった場合には、当然にしてこの工程は不要である。また上記説明では、端部部材１３０および被覆シート１４０を取り付けた埋込部材１２０を溝１１６に挿入する場合を例示したが、これに限定するものではない。すなわち埋込部材１２０、端部部材１３０および被覆シート１４０は必ずしもすべてを一体にしてから溝１１６に挿入する必要はなく、例えば、埋込部材１２０と、被覆シート１４０を貼着した端部部材１３０とを別々に溝１１６に挿入してもよいし、被覆シート１４０を貼着した埋込部材１２０と、端部部材１３０とを別々に溝１１６に挿入してもよい。
【００３８】
図６（ｃ）に示すように埋込部材１２０（厳密には、埋込部材１２０、端部部材１３０および被覆シート１４０）を溝１１６に挿入して接合したら、基材１１２の前面１１２ａと、埋込部材１２０の前端面とが面一になるように調整する（平坦化する）。以下、特に断らない限り、基材１１２の前面１１２ａ、および埋込部材１２０の前端面（前面１２２ａ、１２６ｃ）を総じて、基材１１２の前面１１２ａ等と称する。
【００３９】
上記の調整（平坦化）では、図８に例示するように、ワイドサンダー１８２（ベルトサンダーとも称される）により、基材１１２の前面１１２ａ等を研磨（研削）する（ステップ４０４）。これにより、埋込部材１２０の成型の寸法誤差および溝１１６の切削加工の寸法誤差が吸収され、基材１１２の前面１１２ａ等が正確に面一な状態になる（図３（ｅ）参照）。この平坦化すなわち研磨工程においても、１回目は目が粗い研磨ベルト（例えば♯８０）を、２回目は目が細かい研磨ベルト（例えば♯１５０）を用いて２段研磨を行うことが好ましい。
【００４０】
なお、埋込部材１２０を溝１１６に挿入した状態（図６（ｃ）参照）において、図３（ｅ）に示すように基材１１２の前面１１２ａ等が面一な状態であったら、上述した研磨工程は必ずしも行う必要がないが、加工精度を向上するためにはやはり実施することが好ましい。また上記構成では、基材１１２の前面（表面）および埋込部材１２０の前端面（基材１１２の前面１１２ａ等）の両方を研磨（研削）する構成を例示したが、これに限定するものではなく、基材１１２の前面１１２ａまたは埋込部材１２０の前端面の一方に対して突出している他方のみを研磨する構成としてもよい。
【００４１】
次に、図９（ａ）に示すように、手掛部１２６の前面１２６ｃと、下壁部１２２の前面１２２ａの間（図３（ａ）参照）、すなわち内壁部１２４の前面にマスキングテープ１８４を貼付する（ステップ４０６）。そして、基材１１２の前面１１２ａ等に接着剤１８８（図９（ｂ）にて破線で図示）を塗布する（ステップ４０８）。このように内壁部１２４の前面をマスキングしておくことにより、内壁部１２４への接着剤１８８の付着を防ぐことができる。
【００４２】
接着剤１８８の塗布には、図９（ｂ）に例示するようにスプレーガン１８６を用いるとよい。これにより、基材１１２の前面１１２ａ等に薄く且つ均一に接着剤１８８を塗布することができる。ただし、かかる構成に限定するものではなく、例えばローラ（不図示）を用いて接着剤１８８を塗布してもよい。これによれば、接着剤１８８の窪み部１２８への進入が生じにくいため、マスキングテープ１８４により窪み部１２８を封止する工程を省略することができる。また接着剤１８８は、基材１１２の前面１１２ａ等ではなく、それに貼着される化粧材１１４の裏面（前面１１２ａと当接する側の面）に塗布されていてもよい。これによれば、スプレーガン１８６を用いても接着材の１２８への進入が起こらないため、スプレーガン１８６による利点を得つつ、マスキングテープ１８４により窪み部１２８を封止する工程を省略することが可能である。
【００４３】
接着剤１８８を塗布したら、基材１１２の前面１１２ａ等のほぼ全面に、そこを覆うように化粧材１１４を貼着する（ステップ４１０）。化粧材１１４の接着では、図１０に例示するように、接着剤１８８を塗布した基材１１２の前面１１２ａ等に化粧材１１４を被せ、その上に当て板１９２を当てて、真空プレス装置１９０によって加熱圧着する。真空プレス装置１９０では、当て板１９２と当接する面にゴムシート１９４が配置されている。そして、基材１１２を載置された架台１９６に設けられた孔１９６ａから真空引きすることにより、大気圧でゴムシート１９４が締め付けられ、かかるゴムシート１９４によって化粧材１１４が均一に加圧される。
【００４４】
このとき、基材１１２に当て板１９２が載せられていることにより、加圧時に化粧材１１４に筋が生じることを防止できる。またこのように化粧材１１４上（基材１１２上）に当て板１９２を載せた状態であっても、真空プレスであれば高い接着強度を得ることができる。なお、図１０に示すように、上述した化粧材１１４の接着時において、基材１１２の前面１１２ａ等には化粧材１１４が貼着（接着）されるが、基材１１２の端面１１２ｂは露出した状態である。
【００４５】
続いて、図１１（ａ）に例示するように、基材１１２の前面１１２ａ等に貼着された化粧材１１４のうち、窪み部１２８に対応する領域１１４ａ（ハッチングにて図示）を、かかる窪み部１２８の縁の全周（破線にて図示）に沿って切断工具１９８によってカッティングし、かかる窪み部１２８を開口させる（ステップ４１２）。なお、図１１（ａ）では切断工具１９８としてカッターナイフを例示しているが、これに限定するものではなく、化粧材１１４を切断可能な工具であればどのようなものを用いてもよい。
【００４６】
上記の化粧材１１４の切断を容易にするために、本実施形態では、埋込部材１２０において、窪み部１２８の下縁、すなわち下壁部１２２の前面１２２ａの上端と、内壁部１２４の内面の下端との間に、段部１２０ｃを形成している（図３（ａ）参照）。詳細には、段部１２０ｃは、窪み部１２８の下縁に形成された前端面（下壁部１２２の前面１２２ａ）に連続していて、断面視においてそれとほぼ直角をなすように形成されている。段部１２０ｃの幅は極めて狭くてよく、例えば１ｍｍ程度でよい。
【００４７】
かかる構成により、図１１（ｂ）に示すように、化粧材１１４において埋込部材１２０の窪み部１２８に対応する領域１１４ａ（図１１（ａ）参照）を切断工具１９８によってカッティングする際に段部１２０ｃをガイドとして利用することができる。したがって、容易かつ正確なカッティングが可能となるため、切断時の作業効率の向上を図れるとともに、化粧材１１４の端面（断面）の仕上がりを向上させることができる。
【００４８】
次に、素材が露出している基材１１２の端面１１２ｂに、縁貼り機を用いて木口材（不図示）を貼付する（ステップ４１４）。木口材には、例えばＡＢＳ等からなる厚さ３〜５ｍｍ程度の樹脂製のテープを好適に用いることができる。そして、窪み部１２８を封止していたマスキングテープ１８４（図９参照）を剥離することにより（ステップ４１６）、図１に示す前板１０２が製造される。
【００４９】
なお、木口材の貼付は、基材１１２に化粧材１１４を貼付する工程以降であれば、いずれのタイミングで行ってもよく、マスキングテープ１８４の剥離も、化粧材１１４における埋込部材１２０の窪み部１２８に対応する領域を切断する工程以降であれば、どのタイミングで行ってもよい。
【００５０】
上記説明したように、本実施形態にかかる前板１０２の製造方法によれば、基材１１２の前面１１２ａに溝１１６を形成し、その溝１１６に埋込部材１２０を挿入して接合することにより、従来の機械加工による複雑な工程を必要とすることなく手掛部１２６および窪み部１２８を容易に形成することができる。そして、埋込部材１２０の前端面と基材１１２の前面１１２ａとを面一とし、そこを化粧材１１４によって被覆することにより、前板１０２の外観からは埋込部材１２０の窪み部１２８しか観察されなくなり（図１および図２参照）、取手部１１０はあたかも基材１１２を彫り込んで形成したように見える。したがって、製造工程の複雑化を招くことなく、美観に優れた収納部用前板（前板１０２）を容易且つ安価に製造することが可能となる。
【００５１】
（前板１０２の製造方法の他の例）
図１２および図１３は、上述した前板１０２の製造方法の他の例を説明する図である。上記説明した実施形態では、基材１１２の前面１１２ａに貼付される化粧材１１４と同じ色調や模様（本実施形態では木目調）の被覆シート１４０を端部部材１３０の正面１３０ａに貼付することにより（図６参照）、取手部１１０内の側面と前板１０２の表面（厳密には、それに貼付される化粧材１１４）との調和を図っていた。しかしながら、この状態であると、埋込部材１２０において、取手部１１０の正面となる内壁部１２４の内面はかかる埋込部材１２０の素材が露出した状態である。このため、使用者が前板１０２を前方から観察した際に、埋込部材１２０に対して違和感を覚える可能性がある。
【００５２】
そこで、取手部１１０の正面となる内壁部１２４の内面においても化粧材１１４との調和を図るべく、図１２（ａ）に示すように、埋込部材１２０を溝１１６（図２参照）に挿入する前に、窪み部１２８、すなわちそれを構成する内壁部１２４の内面１２４ａにエンボス形状を形成するとよい。エンボス形状の形成方法としては、例えばローラ２００によるプレスを例示することができる。これにより、埋込部材１２０の窪み部１２８においても化粧材１１４を貼付したときと同様の模様が形成されるため、正面視においても前板１０２と取手部１１０との外観上の統一感（一体感）が得られる。
【００５３】
また上記構成に限定するものではなく、図１２（ｂ）に示すように、化粧材１１４と同じ色調や模様の化粧シート２１４（化粧材）を内壁部１２４の内面１２４ａに貼付してもよい。化粧シート２１４の貼着方法としては、接着剤や接着テープ等、既知の方法を用いることができる。ただし、内壁部１２４の内面１２４ａに正確に化粧シート２１４を貼付する手間を鑑みると、化粧シート２１４を貼付せずともあたかもそれを貼付したように見せることができる図１２（ａ）に示す方法の方が好ましい。
【００５４】
また上記説明した実施形態では、基材１１２の前面１１２ａ等に化粧材１１４を貼着した後に（ステップ４１０）、窪み部１２８の縁の全周（図１１に破線にて図示）に沿って化粧材１１４の領域１１４ａをカッティングすることにより（ステップ４１２）、取手部１１０に対応する窪み部１２８を開口させる構成を例示したが（図１１参照）、これに限定するものではない。図１３に示すように、化粧材１１４において、窪み部１２８に対応する領域１１４ａを予め切断することにより開口部１１４ｂを形成し、開口部１１４ｂが形成された化粧材１１４を基材１１２の前面１１２ａ等に貼着してもよい。
【００５５】
上記構成では、基材１１２と化粧材１１４とは、窪み部１２８と開口部１１４ｂとを基準として位置合わせされる。このため、基材１１２と同一寸法の化粧材１１４を用いるとそれらの外周において寸法誤差によるズレが生じることが想定される。故に、上記のように予め開口部１１４ｂを設けた化粧材１１４を基材１１２に貼着するときには、図１３に示すように、化粧材１１４の寸法を基材１１２よりも大きく設定し、窪み部１２８と開口部１１４ｂとを位置合わせして化粧材１１４を基材１１２に貼着した後に、基材１１２の前面１１２ａからはみ出した化粧材１１４の縁をカッティングするとよい。
【００５６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５７】
本発明は、収納部の前面に配置され、収納部の開閉に用いられる取手を有する収納部用前板の製造方法に適用可能である。
【符号の説明】
【００５８】
１００…収納部、１０２…前板、１０４ａ…側板、１０４ｂ…側板、１０６…底板、１０８…背板、１１０…取手部、１１２…基材、１１２ａ…前面、１１２ｂ…端面、１１４…化粧材、１１４ａ…領域、１１４ｂ…開口部、１１６…溝、１１６ａ…上面、１１６ｂ…下面、１１６ｃ…湾曲部、１２０…埋込部材、１２０ａ…端部、１２０ｂ…端部、１２０ｃ…段部、１２２…下壁部、１２２ａ…前面、１２４…内壁部、１２４ａ…内面、１２６…手掛部、１２６ａ…上壁部、１２６ｂ…前壁部、１２６ｃ…前面、１２８…窪み部、１２９…爪部、１３０…端部部材、１３０ａ…正面、１３０ｂ…背面、１４０…被覆シート、１８０…バイト、１８２…ワイドサンダー、１８４…マスキングテープ、１８６…スプレーガン、１８８…接着剤、１９０…真空プレス装置、１９２…当て板、１９４…ゴムシート、１９６…架台、１９６ａ…孔、１９８…切断工具、２００…ローラ
【図１】
0005792576.tif 000002
【図２】
0005792576.tif 000003
【図３】
0005792576.tif 000004
【図４】
0005792576.tif 000005
【図５】
0005792576.tif 000006
【図６】
0005792576.tif 000007
【図７】
0005792576.tif 000008
【図８】
0005792576.tif 000009
【図９】
0005792576.tif 000010
【図１０】
0005792576.tif 000011
【図１１】
0005792576.tif 000012
【図１２】
0005792576.tif 000013
【図１３】
0005792576.tif 000014